【手続補正書】
【提出日】平成16年1月26日(2004.1.26)
【手続補正１】
【補正対象書類名】明細書
【補正対象項目名】発明の名称
【補正方法】変更
【補正の内容】
【発明の名称】遠隔通信システムの通信方法、通信システム、基地局装置、およびデータ送信方法


【手続補正２】
【補正対象書類名】明細書
【補正対象項目名】特許請求の範囲
【補正方法】変更
【補正の内容】
【特許請求の範囲】
【請求項１】
複数のトランスポートチャネルによって搬送されるデータを通信するフェーズを実現する複数のエンティティを含む、遠隔通信システムの通信方法であって、前記エンティティは少なくとも１つの送信側エンティティおよび少なくとも１つの受信側エンティティを含み、前記送信側エンティティの通信のフェーズは前記トランスポートチャネルの各々に特定的な複数の処理手順を含み、各処理手順はレートマッチングステップを含み、
前記レートマッチングステップは、初期サイズの入力ブロックから最終サイズの出力ブロックへのパンクチャリングまたは反復による変換を実行し、
前記方法は、
前記受信側エンティティによって、最大パンクチャレートを表わすパラメータを決定するステップと、
前記受信側エンティティから、前記送信側エンティティへと、前記パラメータを伝送するステップと、
前記送信側エンティティによって、前記処理手順の各々につき、前記レートマッチングステップによって得られる前記出力ブロックの前記最終サイズを、ある判断基準に基づいて前記入力ブロックの前記初期サイズの関数として計算するステップとを含むことを特徴とし、前記判断基準は前記決定するステップによって決定された前記パラメータに依存する、方法。
【請求項２】
前記判断基準は、トランスポートチャネルの複合体内で同じグループに分類された前記トランスポートチャネルに対する複数の予め定められたパラメータにさらに依存し、前記予め定められたパラメータの各々は、前記トランスポートチャネルの複合体内に含まれる前記トランスポートチャネルの各々のレートマッチング比を表わす、請求項１に記載の遠
隔通信システムの通信方法。
【請求項３】
前記計算するステップは、
同一の多重化フレームについて、前記パラメータとともに利用可能なサイズの組を計算するステップと、
前記組から前記利用可能なサイズの１つを、前記多重化フレームの最大のペイロードとして選択するステップと、
前記最終サイズを、前記初期サイズと、前記予め定められたパラメータのうち少なくとも１つと、前記多重化フレームの前記最大のペイロードとの関数として計算するステップとをさらに含む、請求項２に記載の遠隔通信システムの通信方法。
【請求項４】
前記予め定められたパラメータは、前記トランスポートチャネルの複合体内に含まれる前記トランスポートチャネルの各々のサービスの質に従って変化する、請求項２に記載の遠隔通信システムの通信方法。
【請求項５】
複数のトランスポートチャネルを有するトランスポートチャネルの複合体を用いてデータを送信する移動局であって、初期サイズの入力ブロックを最終サイズの出力ブロックへとパンクチャリングまたは反復によって変換するためのレートマッチング手段を含み、
前記移動局は、
最大パンクチャレートを表わすパラメータを受信する手段と、
前記最終サイズを、ある判断基準に基づいて前記入力ブロックの前記初期サイズの関数として計算する手段とを備え、前記判断基準は前記パラメータに依存する、移動局。
【請求項６】
前記計算する手段は、前記最終サイズが同一の多重化フレームの最大のペイロードに従って変化するように前記最終サイズを計算する、請求項５に記載の移動局。
【請求項７】
前記判断基準は、前記トランスポートチャネルの複合体に対する複数の予め定められたパラメータにさらに依存し、前記予め定められたパラメータの各々は、前記トランスポートチャネルの複合体内に含まれる前記トランスポートチャネルの各々に対するレートマッチング比を表わす、請求項５に記載の移動局。
【請求項８】
前記予め定められたパラメータは、前記トランスポートチャネルの複合体内に含まれる前記トランスポートチャネルの各々のサービスの質に従って変化する、請求項７に記載の移動局。
【請求項９】
前記計算する手段は、
同一の多重化フレームについて、前記パラメータとともに利用可能なサイズの組を計算する手段と、
前記組から前記利用可能なサイズのうちの１つを、前記多重化フレームの最大のペイロードとして選択する手段と、
前記最終サイズを、前記初期サイズ、前記予め定められたパラメータのうち少なくとも１つ、および前記多重化フレームの前記最大のペイロードの関数として計算する手段とをさらに含む、請求項７に記載の移動局。
【請求項１０】
基地局装置と端末装置とを備え、データの入力ブロックをレートマッチングにより出力ブロックへ変換するとともに、変換した前記出力ブロックのデータを複数のトランスポートチャネルを有するトランスポートチャネル複合体を用いて送信する通信システムであって、
前記基地局装置は、
前記データの最大パンクチャレートのパラメータを送信する第１の送信手段と、
前記端末装置から送信されたデータを受信する第１の受信手段とを備え、
前記端末装置は、
前記最大パンクチャレートのパラメータを受信する第２の受信手段と、
受信した前記最大パンクチャレートのパラメータに基づき、前記入力ブロックのサイズの関数を用いて前記出力ブロックのサイズを計算する手段と、
前記出力ブロックのサイズと前記入力ブロックのサイズとの差に基づいて、前記入力ブロックのデータの一部ビットをパンクチャリングまたは反復するレートマッチング手段とを備える、通信システム。
【請求項１１】
データの入力ブロックをレートマッチングにより出力ブロックへ変換するとともに、変換した前記出力ブロックのデータを複数のトランスポートチャネルを有するトランスポートチャネル複合体を用いて送信する通信システムの基地局装置であって、
前記データの最大パンクチャレートのパラメータを送信する送信手段と、
送信した前記最大パンクチャレートのパラメータに基づき、端末装置が前記入力ブロックのサイズの関数として前記出力ブロックのサイズを計算し、前記出力ブロックのサイズと前記入力ブロックのサイズとの差に基づいて、前記入力ブロックのデータの一部ビットをパンクチャリングまたは反復することによりレートマッチングしたデータを受信する受信手段とを備える、基地局装置。
【請求項１２】
データの入力ブロックをレートマッチング法により出力ブロックへ変換するとともに、変換した前記出力ブロックのデータを複数のトランスポートチャネルを有するトランスポートチャネル複合体を用いて送信するデータ送信方法であって、
前記データの最大パンクチャレートを受信するステップと、
受信した前記最大パンクチャレートと前記入力ブロックのサイズとに基づいて、レートマッチング後の前記出力ブロックのサイズを計算するステップと、
計算された前記出力ブロックのサイズに従って、前記入力ブロックの一部ビットをパンクチャリングまたは反復し、前記出力ブロックを生成するレートマッチングステップとを備える、データ送信方法。
【手続補正３】
【補正対象書類名】明細書
【補正対象項目名】００２８
【補正方法】変更
【補正の内容】
【００２８】
【表１】
2002135853.tif 000001
【手続補正４】
【補正対象書類名】明細書
【補正対象項目名】００６３
【補正方法】変更
【補正の内容】
【００６３】
この目的のために、本発明の主題は、複数のトランスポートチャネルによって搬送される、データの通信のフェーズを実現する、少なくとも１つの送信側エンティティおよび少なくとも１つの受信側エンティティを含む、遠隔通信システムの通信方法であって、送信側エンティティの上記通信のフェーズはトランスポートチャネル各々に特定的な複数の処
理手順を含み、各処理手順はレートマッチングステップを含み、上記レートマッチングステップは初期サイズの入力ブロックから最終サイズの出力ブロックへのパンクチャリングまたは反復により変換を行い、最大パンクチャレートを各処理手順に対して規定することのできる、データ通信方法である。


【手続補正５】
【補正対象書類名】明細書
【補正対象項目名】００６４
【補正方法】変更
【補正の内容】
【００６４】
この方法は、以下のステップを順番に含むことによって特徴付けられる。すなわち：
受信側エンティティによって最大パンクチャレートを表わすパラメータとを決定するステップと、
受信側エンティティから送信側エンティティへと、上記パラメータを伝送するステップと、
各処理手順について、レートマッチングステップによって得られるブロックの最終サイズを、ある判断基準に基づいて入力ブロックの初期サイズの関数として送信側エンティティによって計算するステップとを含み、上記判断基準は、上記決定ステップにおいて決定定されたパラメータに依存する、ステップである。


【手続補正６】
【補正対象書類名】明細書
【補正対象項目名】００６５
【補正方法】変更
【補正の内容】
【００６５】
他の特徴に従えば、
送信データの最大パンクチャレートを受信するステップと、
受信した最大パンクチャレートと入力ブロックのサイズとに基づいて、レートマッチング後の出力ブロックのサイズを計算するステップと、
この計算された出力ブロックのサイズに従って、入力ブロックの一部のビットをパンクチャリングまたは反復して出力ブロックを生成するステップとを含む、送信方法である。
【手続補正７】
【補正対象書類名】明細書
【補正対象項目名】００６６
【補正方法】変更
【補正の内容】
【００６６】
本発明の主題はまた、基地局装置と端末装置とを備え、データの入力ブロックをレートマッチングにより出力ブロックへ変換するとともに、変換した出力ブロックのデータを複数のトランスポートチャネルを有するトランスポートチャネル複合体を用いて送信する通信システムであって、
基地局装置が、
データの最大パンクチャレートのパラメータを送信する第１の送信手段と、
端末装置から送信されたデータを受信する第１の受信手段とを備え、
端末装置が、
最大パンクチャレートのパラメータを受信する第２の受信手段と、
受信した最大パンクチャレートのパラメータに基づいて、入力ブロックのサイズの関数を用いて出力ブロックのサイズを計算する手段と、
出力ブロックのサイズと入力ブロックのサイズとの差に基づいて、入力ブロックのデータの一部のビットをパンクチャリングまたは反復するレートマッチング手段とを備える
ことを特徴とする、通信システムである。
【手続補正８】
【補正対象書類名】明細書
【補正対象項目名】００６７
【補正方法】変更
【補正の内容】
【００６７】
本発明の主題はまた、複数のトランスポートチャネルを有するトランスポートチャネル複合体を用いてデータを送信する移動局であって、パンクチャリングまたは反復により入力ブロックを最終サイズの出力ブロックに変換するためのレートマッチング手段を含み、かつ、
最大パンクチャレートを表すパラメータを受信する手段と、
出力ブロックの最終サイズを、この受信したパラメータに依存するある判断基準に基づいて入力ブロックの初期サイズの関数として計算する手段とを備える、移動局である。
本発明の主題はまた、データの入力ブロックをレートマッチングにより出力ブロックへ変換するとともに、変換した出力ブロックのデータを複数のトランスポートチャネルを有するトランスポートチャネル複合体を用いて送信する通信システムの基地局装置であって、
データの最大パンクチャレートのパラメータを送信する送信手段と、
送信した最大パンクチャレートのパラメータに基づき、端末装置が入力ブロックのサイズの関数として出力ブロックのサイズを計算し、出力ブロックのサイズと入力ブロックのサイズとの差に基づいて入力ブロックのデータの一部のビットをパンクチャリングまたは反復することによりレートマッチングしたデータを受信する受信手段とを備える基地局装置である。